(57)【要約】【課題】  リールユニットのケースに対する挿抜作業性を向上させ、ケースを小型化する。【解決手段】  遊技機用の回転表示装置の一例であるスロットマシンのミニメインリール装置２０は、上ケース部２３と下ケース部３０からなるケース２２と、これに収容されるリールユニット４０を有する。上ケース部２３と下ケース部３０は略同一構造であり、底板３３の回りを一対の側板３４と後板３５とが繋がり、これらによって囲まれる空間部がリールユニットを収容する収容部３６となる。下ケース部３０及び上ケース部２３の後板３５に第１案内溝部３２及び第２案内溝部２４が形成され、これら溝部はリールＭＲを回動自在に支持する金属材料製の支持部材４１の突出部４１ｂと係合する。第１案内溝部３２の幅は第２案内溝部２４のそれより狭い。支持部材４１は上ケース部２３と下ケース部３０に固定されて金属材料製の中間部材８０を介してスロットマシンの他の金属部分に繋がる。【選択図】  図３
2006130172.tif 000002
【特許請求の範囲】
【請求項１】
遊技者に面して配設され、表面の周方向に図柄を複数配設して回転動可能に支持されたリールをケースに収容してなる遊技機用の回転表示装置において、
前記ケースは上下２分割可能な上ケース部と下ケース部とを有し、
前記リールに該リールを回転動可能に支持して上下方向に延びる支持部材を設け、
前記下ケース部に上下方向に延びて前記支持部材の下側と係合する第１案内溝部を設け、
前記上ケース部に上下方向に延びて前記支持部材の上側と係合する第２案内溝部を設けたことを特徴とする遊技機用の回転表示装置。
【請求項２】
前記第１案内溝部に前記支持部材の下側が係合すると、該支持部材が前記下ケース部に位置決めされ、
前記第２案内溝部に前記支持部材の上側が係合したときの両者間の隙間を、前記第１案内溝部に前記支持部材の下側が係合したときの隙間より広くしたことを特徴とする請求項１に記載の遊技機用の回転表示装置。
【請求項３】
前記支持部材の上端部を前記上ケース部に固定し、前記支持部材の下端部を前記下ケース部に固定して、前記支持部材を前記ケースと一体化することを特徴とする請求項１又は２に記載の遊技機用の回転表示装置。
【請求項４】
前記支持部材は金属材料製であることを特徴とする請求項１から３のいずれかに記載の遊技機用の回転表示装置。
【請求項５】
前記支持部材に、遊技機本体等の金属部分に接続される金属材料製の中間部材を取り付けたことを特徴とする請求項４に記載の遊技機用の回転表示装置。
【請求項６】
遊技者に面して配設され、表面の周方向に図柄を複数配設して回転動可能に支持されたリールをケースに収容してなる遊技機用の回転表示装置の組み立て方法であって、
上下２分割可能な上ケース部と下ケース部からなるケースの該下ケース部の収容部の開口部が上方に向くようにして前記下ケース部を設置し、
前記リールを前記下ケース部の上方から下方へ移動させて、該リールを回転動可能に支持して上下方向に延びる支持部材の下側を前記下ケース部の収容部内に設けられた第１案内溝部に挿着し、
該第１案内溝部に挿着された支持部材に支持されたリールの上方から前記上ケース部の収容部の開口部を下方に向けた該上ケース部を下方に移動させて、前記支持部材の上側を前記上ケース部の内側に設けられた第２案内溝部に挿着することを特徴とする遊技機用の回転表示装置の組み立て方法。
【発明の詳細な説明】
【技術分野】
【０００１】
本発明は、遊技者に面して配設され、表面の周方向に図柄を複数配設して回転動可能に支持されたリールをケースに収容してなる遊技機用の回転表示装置及びその組み立て方法に関する。
【背景技術】
【０００２】
このような回転表示装置を備えた遊技機は、パチンコ遊技機、スロットマシン、雀球機及びパチスロマシンやゲームセンタで用いられているゲーム機等の箱形遊技機に装着されている。
【０００３】
このような遊技機のなかで、箱形遊技機の１つであるスロットマシンにおいては、一般的に、スタートレバー又はスタートボタンを操作することによって、複数個のリールを回転させ、ストップボタンを操作することにより各リールの回転を順次停止させ、停止した際のリールの組み合わせによりメダル又は球を払い出すように構成されている。
【０００４】
図柄を表示するために用いられるリールは、種々の図柄を表示したリールテープを外周面に貼り付けたドラムが用いられ、このドラムはステッピングモータ等のデジタル制御が可能な駆動源によって回転駆動されている。このように構成された複数のリールを回転動自在に収容したリールユニットは、リールが挿入される側が開口した箱形のケースを備え、箱形遊技機の前面、即ち、遊技者に対面する側（前側）から遊技者から離れる側（後側）に向けて挿入されて遊技機に組み込まれるものがある（特許文献１参照）。
【０００５】
このように構成された遊技機のリールユニットを収容するケース（文献ではベースユニット）の内側の上面部と底面部には、前後方向に延びて幅方向に所定間隔を有して配置された複数のガイド溝が設けられている。リールは、この一方側の側部にリールを回転動自在に支持する支持板を備える。この支持板は、リールの一方側の側部を覆うとともに、リールの後方側へ突出するように形成され、この後方側へ突出した突出部の上端部及び下端部がケースの上面部と底面部に設けられたガイド溝に挿着されることによって、ケースの前端からリールの前側部分が突出した状態で、リールがケースに収容される。
【０００６】
【特許文献１】特開２００３−３１０８３２号公報
【発明の開示】
【発明が解決しようとする課題】
【０００７】
ここで、突出部を上下のスライド溝に挿入する際に、上下のスライド溝に突出部が挿入できるようにスライド溝に対して突出部の位置を合わせる必要があるが、作業者はこの挿入操作を突出部の挿入方向に対して斜め方向から目視をして行わなければならない。このため、突出部の位置決め操作が難しいという問題が生じる。
【０００８】
また支持部材の突出部の前後方向長さは、リールを安定支持するために長尺に形成されている。このため、この突出部に係合するスライド溝も長尺である。このため、支持部材の突出部をスライド溝に沿ってスライド移動させる際に、突出部のスライド方向がスライド溝の延びる方向と略同一方向でないと、突出部の上端部及び下端部の少なくともいずれかがスライド溝の内面に引っ掛かり、スライド移動が困難になる。つまり、従来のリールユニットは、リールをケースに挿着する際の挿着操作の作業性が悪いという問題を有する。
【０００９】
さらに、ケースには複数のリールが装着されるので、ケースの剛性が弱いと、各リールの位置決めが不安定になる。そこで、ケースの板厚を厚くしたり、ケースにリブ等の補強部材を設けることで、ケースの剛性を高めることができる。しかしながら、板厚を厚くしたりすると、ケースが大型化して限られたケースの設置スペースを超え、他の構成部品の配置に影響を与える虞が生じるという問題が発生する。
【００１０】
本発明は、このような問題に鑑みてなされたものであり、リールのケースに対する挿着操作の作業性がよく、ケースが設置スペース内に収まるコンパクトなケースを備えた遊技機用の回転表示装置及びその組み立て方法を提供することを目的とする。
【課題を解決するための手段】
【００１１】
このような課題を解決するため、本発明は、遊技者に面して配設され、表面の周方向に図柄を複数配設して回転動可能に支持されたリール（例えば、実施形態におけるリールＭＲ１、ＭＲ２、ＭＲ３）をケースに収容してなる遊技機（例えば、実施形態におけるスロットマシン１）用の回転表示装置（例えば、実施形態におけるミニメインリール装置２０）において、ケースは上下２分割可能な上ケース部と下ケース部とを有し、リールに該リールを回転動可能に支持して上下方向に延びる支持部材を設け、下ケース部に上下方向に延びて支持部材の下側と係合する第１案内溝部を設け、上ケース部に上下方向に延びて支持部材の上側と係合する第２案内溝部を設けたことを特徴とする。
【００１２】
この発明によれば、リールを収容するケースが上下２分割可能な上ケース部と下ケース部とを有してなり、支持部材と係合する案内溝部を下ケース部に設けた第１案内溝部と上ケース部に設けた第２案内溝部に配設することによって、第１案内溝部及び第２案内溝部のそれぞれの長さを短くすることができる。このため、第１案内溝部及び第２案内溝部に支持部材の下側及び上側を係合する際に、支持部材の挿入方向が案内溝部の延びる方向とずれても、そのずれの大きさが所定範囲内であれば、支持部材を第１案内溝部及び第２案内溝部に挿入することができる。このため、支持部材の挿入操作の作業性を向上させることができる。つまり、ケースに対するリールの挿入操作の作業性を向上させることができる。
【００１３】
また本発明は、第１案内溝部に支持部材の下側が係合すると、該支持部材が下ケース部に位置決めされ、第２案内溝部に支持部材の上側が係合したときの両者間の隙間を、第１案内溝部に支持部材の下側が係合したときの隙間より広くしたことを特徴とする。
【００１４】
この発明によれば、支持部材の下側が第１案内溝部に係合すると、支持部材が下ケース部に位置決めされ、第２案内溝部に支持部材の上側が係合したときの両者間の隙間が第１案内溝部に支持部材の下側が係合したときの隙間より広いので、支持部材の上側を第２案内溝部に容易に挿着することができる。このため、リールをケースに挿着する際の組み立て作業の作業性を向上させることができる。
【００１５】
また本発明は、支持部材の上端部を上ケース部に固定し、支持部材の下端部を下ケース部に固定して、支持部材をケースと一体化することを特徴とする。
【００１６】
この発明によれば、支持部材の上端部を上ケース部に固定し、支持部材の下端部を下ケース部に固定して、支持部材をケースと一体化することにより、支持部材によってケースの強度を補強することができる。このため、上ケース部や下ケース部において、これらの上下方向の強度を補強するためのリブ等の補強部が不要となり、上ケース部及び下ケース部をスリムに設計することができる。このため、上ケース部及び下ケース部からなるケースを小型化することができ、回転表示装置を設置スペース内に確実に収めることができる。
【００１７】
さらに本発明は、支持部材は金属材料製であることを特徴とする。
【００１８】
この発明によれば、支持部材を金属材料製にすることにより、リールを回転駆動させる駆動モータが回転表示装置に内蔵されている場合に、駆動モータから発生した熱を支持部材に放熱して駆動モータの温度上昇を抑制することができる。その結果、回転表示装置内の温度上昇を抑制することができる。
【００１９】
また本発明は、支持部材に、遊技機本体等の金属部分に接続される金属材料製の中間部材を取り付けたことを特徴とする。
【００２０】
この発明によれば、支持部材に金属材料製の中間部材を取り付けることにより、駆動モータから発生した熱を、支持部材及び中間部材を介して遊技機本体等の金属部分に伝達することができ、回転表示装置内の温度上昇をより抑制することができる。
【００２１】
また本発明は、遊技者に面して配設され、表面の周方向に図柄を複数配設して回転動可能に支持されたリールをケースに収容してなる遊技機用の回転表示装置の組み立て方法であって、上下２分割可能な上ケース部と下ケース部からなるケースの該下ケース部の収容部の開口部が上方に向くようにして下ケース部を設置し、リールを下ケース部の上方から下方へ移動させて、該リールを回転動可能に支持して上下方向に延びる支持部材の下側を下ケース部の収容部内に設けられた第１案内溝部に挿着し、該第１案内溝部に挿着された支持部材に支持されたリールの上方から上ケース部の収容部の開口部を下方に向けた該上ケース部を下方に移動させて、支持部材の上側を上ケース部の内側に設けられた第２案内溝部に挿着することを特徴とする。
【００２２】
この発明によれば、収容部の開口部が上方に向くように下ケース部を設置し、リールを下ケース部の上方から下方へ移動させ、リールに設けられた支持部材の下側を下ケース部の収容部内に設けられた第１案内溝部に挿着し、このリールの上方から収容部の開口部が下方に向けられた上ケース部を下方に移動させて、支持部材の上側を上ケース部の内側に設けられた第２案内溝部に挿着することによって、作業者は第１案内溝部の略真上からこの案内溝部に対する突出部の位置を目視で確認することができる。また第１案内溝部に挿着された突出部の略真上からこの突出部の位置を確認して上ケース部を略垂直下方に移動させることができる。このため、突出部の第１案内溝部及び第２案内溝部への位置合わせが容易となり、突出部をこれらの案内溝部に容易に挿入することができる。つまり、上ケース部及び下ケースに対するリールの挿着作業の作業性を向上させることができる。
【発明の効果】
【００２３】
本発明によれば、リールを収容するケースを上下２分割可能な上ケース部と下ケース部と分け、支持部材と係合する案内溝部を下ケース部に設けた第１案内溝部と上ケース部に設けた第２案内溝部に配設し、支持部材の上端部を上ケース部に固定し、支持部材の下端部を下ケース部に固定して、支持部材をケースと一体化することによって、ケースに対するリールの挿着操作の作業性が向上して、ケースの設置スペースを超えないコンパクトなケースを備えた遊技機用の回転表示装置及びその組み立て方法を提供することができる。
【発明を実施するための最良の形態】
【００２４】
以下、本発明に係わる遊技機用の回転表示装置及びその組み立て方法の好ましい実施の形態を図１から図５に基づいて説明する。本実施の形態は、ミニメインリール装置の他にサブリール装置を備えたスロットマシンを例にして説明する。先ず、本発明の遊技機用の回転表示装置の組み立て方法を説明する前に、本発明の遊技機用の回転表示装置を備えたスロットマシンについて概説する。
【００２５】
スロットマシン１は、図１（正面図）に示すように、遊技者に面するフロントドア１０と、フロントドア１０を開閉自在に取り付けた図２に示す筐体５０とを有して構成されている。フロントドア１０は、機械的に強固な硬質プラスチック製であり、上部パネル部１３、中部パネル部１４及び下部パネル部１５を備えて構成されている。上部パネル部１３には、複数の演出用ランプ１３ａ，１３ｂ，１３ｃ，１３ｄ，１３ｅ及び演出用パネル１３ｆが設けられる他、演出用の効果音を発するスピーカが裏面側に取り付けられた放音部１３ｇ，１３ｈが設けられている。更に、演出用パネル１３ｆの中央部には、透過窓ＷＤ１を介して遊技結果を演出するための小型のリール装置（以下「ミニメインリール装置」という）２０が配設されている。
【００２６】
中部パネル部１４には、透明な硬質プラスチック板で形成された略長方形状の透過窓ＷＤ２と、演出用ランプ１４ａ，１４ｂが設けられ、筐体５０内に設けられているサブリール装置６０のリールＳＲ１，ＳＲ２，ＳＲ３を、遊技者が透過窓ＷＤ２を介して見ることが可能となっている。
【００２７】
中部パネル部１４の下端部には、遊技者が操作するための操作部１６が設けられ、この操作部１６には、スロットマシンゲームを行うのに必要な遊技メダルを投入するためのメダル投入部ＭＤと、１ゲーム当たりのメダル数を提示するためのベットボタンＢ１，Ｂ２と、１ゲームの開始を指示するためのスタートレバーＳＴと、回転中のリールＳＲ１，ＳＲ２，ＳＲ３を個別に停止させるためのストップボタンＳＰ１，ＳＰ２，ＳＰ３と、遊技者が獲得した遊技メダルの払い出しを指示するための精算ボタンＭＲが設けられている。
【００２８】
更に、メダル投入部ＭＤの近傍には、フロントドア１０を開錠するための鍵穴ＫＹが設けられ、遊技場側の事業者や管理者が、鍵穴ＫＹに正規の鍵を挿入して開錠操作すると、図２に示す施錠機構ＬＫを解除し、フロントドア１０を図２に示す筐体５０から開くことが可能となっている。
【００２９】
下部パネル部１５には、本スロットマシン１のゲーム内容を紹介等するための画像（図示略）が描かれており、更に遊技者の獲得した枚数の遊技メダルを払い出すための排出口１５ａ及び受皿１５ｂと、スピーカが取り付けられた放音部１５ｃが設けられている。
【００３０】
次に、図２を参照して、フロントドア１０の裏面構造と、筐体５０の内部構造を概説する。なお、図２はフロントドア１０を開錠して筐体５０から開いた状態を表している。
【００３１】
図２に示すように、フロントドア１０の裏面上部には、前述した放音部１３ｇ，１３ｈを構成するスピーカＳＲ，ＳＬが設けられ、スピーカＳＲ，ＳＬの間にミニメインリール装置２０が設けられている。ミニメインリール装置２０の詳細については後述する。ミニメインリール装置２０の裏面側には、電気回路基板で形成されたサブ制御基板２１が取り付けられている。サブ制御基板２１は、導電性配線パターンの形成された絶縁性樹脂基板上に集積回路装置（ＩＣ）やトランジスタ、抵抗、コンデンサ等の電子部品が搭載されて配線接続されたいわゆる電気回路基板として形成され、ミニメインリール装置２０の裏面側に重なるようにして取り付けられている。
【００３２】
ミニメインリール装置２０とサブ制御基板２１の下方には、前述した透過窓ＷＤ２が形成された液晶表示パネルＬＣＤが取り付けられている。液晶表示パネルＬＣＤの下方には、メダル投入部ＭＤより投入される投入物が正規の遊技メダルか異物かを判別して振り分けるセレクト機構Ｇ０と、セレクト機構Ｇ０で振り分けられた遊技メダルを筐体５０側に設けられているホッパ装置ＨＰへ案内するガイド部材Ｇ１と、セレクト機構Ｇ０で振り分けられた異物を排出口１５ａへ案内するガイド部材Ｇ２と、ホッパ装置ＨＰから出力される払い出し用のメダルを排出口１５ａへ案内するガイド部材Ｇ３が設けられ、更に排出口１５ａの近傍には、前述した放音部１５ｃを構成するスピーカＳＷが取り付けられている。
【００３３】
液晶表示パネルＬＣＤとセレクト機構Ｇ０との間には、長尺状の電気回路基板で形成された中央表示基板７０が取り付けられている。中央表示基板７０はサブ制御基板２１と同様に、導電性配線パターンの形成された絶縁性樹脂基板上に集積回路装置（ＩＣ）やトランジスタ、抵抗、コンデンサ等の電子部品が搭載されて配線接続されたいわゆる電気回路基板として形成されている。
【００３４】
セレクト機構Ｇ０の側方には前述した施錠機構ＬＫが設けられ、筐体５０の一端にロック部材ＬＯが固定されている。そして、フロントドア１０を筐体５０側に閉じると、施錠機構ＬＫがロック部材ＬＯに嵌着することによってフロントドア１０を施錠する。一方、前述したように正規の鍵で開錠操作すると、施錠機構ＬＫがロック部材ＬＯから外れることによってフロントドア１０を開錠することができる。
【００３５】
さて、筐体５０内には、主電源装置ＰＷＵと、ホッパ装置ＨＰから溢れた遊技メダルを収容するための補助貯留部ＳＨＰが設けられる他、前述した透過窓ＷＤ２に対向するリールＳＲ１，ＳＲ２，ＳＲ３とこれらリールＳＲ１，ＳＲ２，ＳＲ３を回転駆動する電動モータ（図示略）とを備えたサブリール装置６０が設けられている。
【００３６】
主電源装置ＰＷＵの側面には電源装置基板７２が取り付けられ、サブリール装置６０の上端には回胴装置基板７４が取り付けられ、サブリール装置６０の上方には主制御基板７６が取り付けられ、筐体５０の内壁の一端には外部集中端子としての外部集中端子基板７８が取り付けられている。
【００３７】
電源装置基板７２、回胴装置基板７４、主制御基板７６、外部集中端子基板７８は、前述したサブ制御基板２１及び中央表示基板７０と同様に、導電性配線パターンの形成された絶縁性樹脂基板上に集積回路装置（ＩＣ）やトランジスタ、抵抗、コンデンサ等の電子部品が搭載されて配線接続されたいわゆる電気回路基板として形成されている。
【００３８】
ただし、サブ制御基板２１と主制御基板７６は、夫々硬質プラスチックの保護ケース内に個別に収納されたユニット構造となっている。
【００３９】
以上のように構成されたスロットマシン１において、ミニメインリール装置２０は、図３に示すように、上下２分割可能な上ケース部２３と下ケース部３０とを有してなるケース２２と、並んだ複数のリールＭＲ１、ＭＲ２、ＭＲ３のそれぞれを回動可能に支持してなる３つのリールユニット４０,４０',４０''とを有して構成されている。３つのリールユニット４０,４０',４０''は同一構造である。このため、リールユニット４０を説明して、他のリールユニット４０',４０''についてはこれらの説明を省略する。
【００４０】
リールユニット４０は、リールＭＲ１とこのリールＭＲ１を回転自在に支持する支持部材４１とを備えて構成されている。リールＭＲ１は、図４（ａ）及び（ｂ）に示すように、骨格状の枠体４３と、枠体４３を回動させるステッピングモータＳＭとを有してなる。枠体４３は、対向配置された一対の円環部４３ａの周縁部間を複数の橋脚部４３ｂによって繋いで構成されている。一方の円環部４３ａの中央部には円板状の基部４３ｃが配置され、基部４３ｃと円環部４３ａとの間には放射状に延びる複数のアーム部４３ｄが繋がっている。
【００４１】
基部４３ｃよりも枠体４３の内側には中継軸４４、中継部材４５及びステッピングモータＳＭが配置され、基部４３ｃから中継軸４４及び中継部材４５を挿通したねじ４６がステッピングモータＳＭの軸部ＳＭ１と螺合して、ステッピングモータＳＭが基部４３ｃに固定されている。そして、図５に示すように、ステッピングモータＳＭの基端側端部は、他方の円環部４３ａの側面から外側に突出して、他方の円環部４３ａの側面に沿って延びる板状の支持部材４１に固定されている。つまり、リールＭＲ１は、中継軸４４、中継部材４５及びステッピングモータＳＭを介して支持部材４１に回動可能に支持されている。このため、ステッピングモータＳＭが駆動すると、リールＭＲ１は支持部材４１に対して回動する。
【００４２】
支持部材４１は、図３に示すように、板金製であり、上下方向に延びて側面視において略矩形状であり、リールＭＲ１の側面を覆う本体部４１ａとこれから後方側へ突出する突出部４１ｂとを有してなる。本体部４１ａの前側の上下両端部には、先端側に進むに従って内側に傾斜する傾斜部４１ｃが形成され、この傾斜部４１ｃは上ケース部２３及び下ケース部３０の各前側の底板３３に形成された係合溝部３１に係合する。突出部４１ｂの後端は略垂直方向に延び、下ケース部３０及び上ケース部２３の各後板３５に形成された第１案内溝部３２及び第２案内溝部２４と係合する。
【００４３】
本体部４１ａの前側下部及び後側上部にはリールＭＲ１側へ突出するフランジ部４１ｄが形成されている。フランジ部４１ｄは、リールユニット４０が下ケース部３０及び上ケース部２３間に収容された状態で、各ケース部３０、２３の底板３３の内面に接する位置に配設されている。フランジ部４１ｄには雌ねじ４１ｅが設けられている。下ケース部３０に挿通された雄ねじ(図示せず)を下方のフランジ部４１ｄの雌ねじ４１ｅに締め込むと、支持部材４１の下部を下ケース部３０に固定することができ、上ケース部２３に挿通された雄ねじ(図示せず)を上方のフランジ部４１ｄの雌ねじ４１ｅに締め込むと、支持部材４１の上部を上ケース部２３に固定することができる。このため、支持部材４１を介してリールＭＲ１をケース２２にしっかりと固定することができる。
【００４４】
また、支持部材４１によって上ケース部２３と下部ケース部３０とが連結されるので、ケース２２の上下方向の剛性を向上させることができる。その結果、上ケース部２３と下部ケース部３０において、上下方向の剛性を向上させるためのリブ等が不要になり、上ケース部２３と下部ケース部３０の構造を簡素にすることができる。上ケース部２３及び下部ケース部３０の詳細な構造については後述する。また支持部材４１は板金製であるので、前述したステッピングモータＳＭから発生した熱を支持部材４１を介して放熱することができる。
【００４５】
このように構成されたリールユニット４０を収容するケース２２の下部ケース部３０は、前後方向に延びる底板３３と、底板３３の左右両端部から上方へ延びる一対の側板３４と底板３３の後端部から上方へ延びるとともに、一対の側板３４の後端部に繋がる後板３５とを有して箱状に形成される。下部ケース部３０の内部空間は、底板３３、一対の側板３４及び後板３５によって囲まれて３つのリールユニット４０、４０'、４０''の下部を収容可能な収容部３６を形成している。この収容部３６は上側及び前側が開口している。
【００４６】
底板３３の前側上面には左右方向に所定間隔を有して配置されて前後方向に延びる前述した係合溝部３１が形成されている。係合溝部３１は支持部材４１の下側の傾斜部４１ｃと略同一の長さを有して延びる。これによって、係合溝部３１に下側の傾斜部４１ｃが係合すると、支持部材４１の前側下部を位置決めすることができる。
【００４７】
後板３５の内面には、左右方向に所定間隔を有して配置されて上下方向に延びる前述した第１案内溝部３２が設けられている。第１案内溝部３２は、後板３５の内面の左右方向に所定間隔を有して突出する２つの突出片３２ａ間の空間部によって形成されている。第１案内溝部３２は、これと対応する係合溝部３１と左右方向において略同じ位置に配設されている。このため、直線状に延びる支持部材４１の突出部４１ｂを第１案内溝部３２に係合させると、支持部材４１の下側の傾斜部４１ｃを係合溝部３１に容易に係合させることができる。また第１案内溝部３２は、後板３５の内面の下部から上端まで延び、その長さは支持部材４１の突出部４１ｂの上下方向長さの略半分の長さを有している。このため、突出部４１ｂの下側を第１案内溝部３２の上端から下方に挿入して支持部材４１の下端部が底板３３の上面に当接すると、突出部４１ｂの略下側半分を第１案内溝部３２に係合させることができる。これによって、突出部４１ｂの下側が確実に保持され、且つ位置決めされる。
【００４８】
さらに、第１案内溝部３２の左右方向の寸法（幅寸法）は、突出部４１ｂを位置決め可能に嵌合する大きさを有している。つまり、第１案内溝部３２に突出部４１ｂの下部を挿入したときの両者間の隙間は小さくなるように設計されている。このため、突出部４１ｂを第１案内溝部３２に挿着すると、突出部４１ｂを第１案内溝部３２にガタなく取り付けることができる。
【００４９】
一対の側板３４の各上部には、左右方向外側へ延びるフランジ部３４ａが形成され、各フランジ部３４ａには複数の固定孔３４ｂが設けられている。
【００５０】
このように構成された下ケース部３０に対向して配置される上ケース部２３は、下ケース部３０と略同様の形状を有している。このため、上ケース部２３については下ケース部３０と相違する部分のみを説明し、下ケース部３０と同一態様部分については同一符号を附してその説明を省略する。
【００５１】
上ケース部２３の後板３５の内面には、左右方向に所定間隔を有して配置されて上下方向に延びる前述した第２案内溝部２４が設けられている。第２案内溝部２４は、下ケース部３０と上ケース部２３のそれぞれのフランジ部３４ａが対向配置された状態で接合すると、第１案内溝部３２に連通する位置に配置されている。これによって、第１案内溝部３２に挿着された支持部材４１の突出部４１ｂの上側を第２案内溝部２４に挿着させることができる。
【００５２】
ここで、第２案内溝部２４の幅寸法は、第１案内溝部３２のそれよりも大きい。このため、第２案内溝部２４への突出部４１ｂの上部の挿着を容易にすることができる。なお、第２案内溝部２４の幅は、上下方向に同一寸法にする他、少なくとも端部の開口部がこの開口部から離反するに従って拡開するようにしてもよい。
【００５３】
このように構成された下ケース部３０及び上ケース部２３には、上下方向に延びるリブ等の補強部材は設けられていない。これは、前述したように下ケース部３０及び上ケース部２３間に支持部材４１が固定された状態で取り付けられるので、支持部材４１によって下ケース部３０及び上ケース部２３からなるケース２２の上下方向の剛性を補強することができるからである。このため、下ケース部３０及び上ケース部２３の構造が簡素化されて、ケース２２を小型化することができる。なお、下ケース部３０及び上ケース部２３は、合成樹脂材料製であって一体成形される。ここで、これらのケース部の深さはケース２２のそれと比較して浅い。このため、これらのケース部は、深さの浅い型によって成形することができ、成形型の製造が容易となり、その結果としてケース部の製造コストを安価にすることができる。
【００５４】
上ケース部２３の後側の上部には、板金製の中間部材８０が取り付けられている。中間部材８０は、前後方向に延びて支持部材４１の上側のフランジ部４１ｄの上面に当接した状態で締結される基部８１と、基部８１から前側に段上に延びる中間部８２と、中間部８２の前側から上方へ延びる接続部８３とを有してなる。基部８１及び接続部８３には、ボルト等の締結手段を挿通する貫通孔８４が複数設けられている。接続部８３は図１に示すフロントドア１０内の図示しない金属材料製の他の構造部に締結される。このため、リールユニット４０内の前述したステッピングモータＳＭから発生した熱を、支持部材４１及び中間部材８０を介して他の構造部に放熱することができ、リールユニット４０、４０'、４０''内の温度上昇を抑制することができるとともに、ステッピングモータＳＭから発生する電気的なノイズを抑制することができる。
【００５５】
次に、上記構成のミニメインリール装置２０の組み立て方法について図３を用いて説明する。図３に示すように、先ず、下ケース部３０の収容部３６の上側の開口部が上方に向くようにして下ケース部３０を載置する。そして、リールユニット４０を下ケース部３０の上方から下方へ移動させて、支持部材４１の突出部４１ｂの下側を第１案内溝部３２に挿着する。これと略同時に支持部材４１の下側の傾斜部４１ｃを係合溝３１に挿着する。ここで、第１案内溝部３２は上下方向に延びているので、作業者(図示せず)は第１案内溝部３２の略真上から目視で突出部４１ｂの位置を確認しながら、突出部４１ｂを第１案内溝部３２に挿入することができる。このため、第１案内溝部３２に突出部４１ｂの下部を挿入するときの両者間の隙間が小さくても、突出部４１ｂの第１案内溝部３２への挿入操作を容易に行うことができる。また、第１案内溝部３２に挿着される突出部４１ｂはこの下側部分だけであるので、挿入長さは突出部全体と比較して短い。このため、突出部４１ｂの挿入方向が第１案内溝部３２の延びる方向とずれても、そのずれの大きさが所定範囲内であれば、突出部４１ｂの端部が第１案内溝部３２の内面に引っ掛からずに突出部４１ｂを第１案内溝部３２に挿着することができる。そして、他のリールユニット４０'，４０''を前述した方法と同様に他の第１案内溝部３２に挿入し、下ケース部３０の収容部３６内に３つのリールユニット４０,４０',４０''を装着する。
【００５６】
そして、これらのリールユニット４０、４０'、４０''の上方から収容部３６の下側に開口する開口部を下方に向けた上ケース部２３を下方に移動させて、支持部材４１の突出部４１ｂの上側を上ケース部２３の第２案内溝部２４に挿着するとともに、支持部材４１の上側の傾斜部４１ｃを上ケース部２３の係合溝部(図示せず)に挿着する。ここで、第２案内溝部２４の幅寸法は第１案内溝部３２のそれよりも大きく、また支持部材４１は、第１案内溝部３２に係合すると下ケース部３０に位置決めされている。さらに第１案内溝部３２に挿着された突出部４１ｂの略真上からこの突出部４１ｂの位置を確認して上ケース部２３を略垂直下方に移動させることができる。このため、下ケース部３０に対して上ケース部２３の位置が多少ずれても支持部材４１の突出部４１ｂの上側部分を容易に第１案内溝部２４に係合させることができる。
【００５７】
そして、下ケース部３０と上ケース部２３のフランジ部３４ａに設けられた貫通孔３４ｂにボルトを通して締結して、下ケース部３０と上ケース部２３とを一体化する。また支持部材４１の下側のフランジ部４１ｄに下ケース部３０から挿通されたボルトを締結し、支持部材４１の上側のフランジ部４１ｄに上ケース部２３の底板３３を挟んで中間部材８０の基部８１の貫通孔８４から挿通されたボルトを締結する。これによって、支持部材４１が下ケース部３０及び上ケース部２３に固定され、３つのリールユニッ４０、４０'、４０''を一体化された下ケース部３０及び上ケース部２３に固定することができる。
【００５８】
なお、前述した実施の形態では、支持部材４１はリールＭＲ毎に取り付けられたものを示したが、これらの支持部材４１を一体化して構成してもよい。この場合には、下ケース部３０及び上ケース部２３に形成される第１案内溝部３２及び第２案内溝部２４は少なくとも１つあればよい。また、前述した実施の形態では、リールユニット４０として、遊技結果の演出を表示できるメインリールを対象とすることに限らず、演出用とは別に遊技結果を表示できるサブリールを対象とすることも可能である。さらに、前述した実施の形態では、スロットマシン１を遊技機の対象として挙げたが、本発明では、パチンコ機やゲーム機などを対象とすることも可能である。
【図面の簡単な説明】
【００５９】
【図１】本発明の一実施の形態に係わるミニメインリール装置を備えたスロットマシンの正面図を示す。
【図２】このスロットマシンのフロントドアを筐体から開いた状態の内部構造図を示す。
【図３】ミニメインリール装置の分解斜視図を示す。
【図４】ミニメインリール装置のリールユニットを示し、同図（ａ）はリールユニットの分解正面図であり、同図（ｂ）は、リールの側面図である。
【図５】リールユニットの断面図を示す。
【符号の説明】
【００６０】
１  スロットマシン（遊技機）
２０  ミニメインリール装置（回転表示装置）
２２  ケース
２３  上ケース部
２４  第２案内溝部
３０  下ケース部
３２  第１案内溝部
３６  収容部
４１  支持部材
８０  中間部材
ＭＲ１、ＭＲ２、ＭＲ３  リール
【図１】
2006130172.tif 000003
【図２】
2006130172.tif 000004
【図３】
2006130172.tif 000005
【図４】
2006130172.tif 000006
【図５】
2006130172.tif 000007